(57)【要約】      （修正有）【課題】着席者の背中と脊椎周辺の筋肉をマッサージすることができる機能性椅子を提供する。【解決手段】機能性椅子は背もたれ３００に着席者の背中と脊椎周辺の筋肉をマッサージすることができる指圧ボール５１０が装着され、ひじ掛けの操作を通じて指圧ボール５１０を突出させてマッサージすることによって長時間椅子使用にともなう着席者の疲労感を解くことができ、使用者の選択によりあんま機能を選択して作動させることができる指圧ボール５１０を備える。【選択図】図２
2020065899.tif 000002
【特許請求の範囲】
【請求項１】
所定の厚さを有する座板１００と、
前記座板１００を支持するように前記座板１００の下段に備えられ、一側に前記座板１００を移動させるための回転輪２１０が装着される座板支持部２００と、
前記座板１００の一側に結合して上下方向に立てられて、一定間隔離隔配置される指圧ホール３１０が貫通形成される背もたれ３００と、
前記背もたれ３００の後方に装着され、中央に開口面Ｓが貫通形成され、前記開口面Ｓの縁に沿って内部隔壁４１０が延在形成される背もたれ支持台４００と、
前記背もたれ支持台４００に回転可能に装着され、回転によって前記指圧ホール３１０に引き出し、または引入される指圧ボール５１０が多数個形成される一対の指圧部５００と、  
前記指圧部５００の一側にそれぞれ固定され、前記指圧ボール５１０が前記指圧ホール３１０に引き出されるように前記指圧部５００を回転させる一対のひじ掛け６００と、
一側が前記座板１００に固定され、他方が前記背もたれ支持台４００に固定されて前記背もたれと前記座板１００と、を固定する座板連結具７００と、
前記背もたれ支持台４００、または前記指圧部５００に装着されて前記指圧部５００の回転を制御するストッパー９００と、を含むことを特徴とする、
指圧ボールを備えた機能性椅子。
【請求項２】
前記指圧部５００は、上下方向に立てられる指圧板５２０と、前記指圧板５２０の一側に突出形成され、前記指圧ボール５１０が回転可能に装着されるローラーブラケット５３０と、前記指圧板５２０の上側と下側に上下方向にそれぞれ延在形成される第１の回転軸５４０及び第２の回転軸５５０と、を含み、前記第２の回転軸５５０には水平方向に延在形成されて終端に締結ホール５６１がそれぞれ形成される一対の支持ロード５６０が形成され、前記一対の支持ロード５６０の間には前記ひじ掛け６００を加圧する加圧力が解除されれば前記引き出された指圧ボール５１０を指圧ホール３１０に引入させるように前記一対の指圧部５００を弾性支持する弾性部材８００が更に備えられることを特徴とする請求項１に記載の指圧ボールを備えた機能性椅子。
【請求項３】
前記ストッパー９００は、所定の厚さを有して側面に固定溝９０１が嵌入形成され、前記ストッパー９００が装着される場合、前記ローラーブラケット５３０に固定溝９０１が挿入されて前記ストッパー９００が固定され、前記指圧板５２０が前記ストッパー９００の側面と接触して前記指圧部５００の回転が制限されることを特徴とする請求項１に記載の指圧ボールを備えた機能性椅子。
【請求項４】
前記ストッパー９００は、前記背もたれ支持台４００の内側面に形成され、上下方向に沿って延在形成されるレール溝９１１を含むストッパーハウジング９１０と、前記内部隔壁４１０を貫通して形成されるストッパー引入溝４１３に挟まれて上下方向にスライディングされ、上下移動によって前記指圧板５２０の回転を制御するように前記指圧板５２０と接触または、接触解除されるストッパーボディ９２０と、前記ストッパーボディ９２０の上下移動を制御するように前記レール溝９１１に装着されて前記背もたれ支持台４００の外部に露出されるストッパーハンドル９３０と、を含むことを特徴とする請求項１に記載の指圧ボールを備えた機能性椅子。
【請求項５】
前記ストッパーハンドル９３０は、前記ストッパーハウジング９１０の外側面に密着され、前記背もたれ支持台４００の外部に露出されたハンドル９３１−１を含む第１の支持板９３１と、前記ストッパーハウジング９１０の内側面に密着される第２の支持板９３２と、前記レール溝９１１を貫通して一側と他側が前記第１の支持板９３１と第２の支持板９３２にそれぞれ連結されるガイド棒９３３と、を含み、前記レール溝９１１は、前記ガイド棒９３３がスライディングされるように延在されるスライディング溝９１１−１と、前記スライディング溝９１１−１の一側に形成されて前記ガイド棒９３３が定着される固定レール溝９１１−２と、を含み、前記スライディング溝９１１−１と前記固定レール溝９１１−２との間には前記ガイド棒９３３が固定レール溝９１１−２に定着された状態を維持させるために前記ガイド棒９３３を支持する係止突起９１１−３が突出形成されることを特徴とする請求項４に記載の指圧ボールを備えた機能性椅子。
【発明の詳細な説明】
【技術分野】
【０００１】
本発明は、椅子の背もたれに指圧ボールが備えられた機能性椅子に関するものであって、更に詳しくは着席者の背中と脊椎周辺の筋肉をマッサージすることができる指圧ボールが装着され、ひじ掛けの操作を通じて指圧ボールを突出させてマッサージすることで、長時間椅子使用に伴う着席者の疲労感を解くことができ、使用者の選択によってあんま機能を選択して作動させることができる指圧ボールを備えた機能性椅子に関するものである。
【背景技術】
【０００２】
一般的に、学習または事務作業のために使われる学習用椅子や事務用椅子は使用者の着席時に体重を支えるための本体の座席シーツと、その後方に設けられて使用者の腰及び背中部位を支持するための背もたれを備えている。
【０００３】
このような学習用椅子や事務用椅子に着座する使用者はおおむね長時間にわたって利用することが多いので、使用者の身体部位のうち、主に腰や肩、襟首部位の疲労累積による筋肉硬直と軽い痛みを訴える場合が日常に発生している。
【０００４】
さらに、近来に入ってパーソナルコンピュータの使用が次第に必須化されたことに伴い、事務職に従事する会社員は事務用椅子に長時間座っている場合が多い。このような場合には身体機能障害はもちろん、不安定な姿勢による脊椎湾曲症や腰椎損傷、血液循環障害、慢性疲労などのような症状が誘発され、現代人は運動不足と座って生活する時間が多くなったことにより前記のような症状がより一層頻繁に発生している実情がある。
【０００５】
このような問題点より、近来では椅子に座った姿勢で長時業務を遂行する人々、特に受験生や事務業に従事する人々や運輸業に従事する人々が増え、快適さと休息を取ることができる機能性を備えた椅子に対する関心が高まっている。
【０００６】
このような関心によって、最近は上述したような既存の学習用椅子や事務用椅子の使用時に頻繁に発生する身体機能障害症状を解消したり緩和させるための目的で、多様な形態の機能が付加された機能性椅子の売上が漸増している傾向にある。
【０００７】
しかし、今までに発売されている多くの機能性椅子は、安楽椅子のようなソファ形態の椅子にあんま機能を付加するものであって、基本的に通常の学習用椅子や事務用椅子と使うのは難しく実質的な使用が不可能であった。
【０００８】
したがって、学習用や事務用椅子として使用可能で、使用者の選択時、襟首や脊椎周辺筋肉の固まり、硬直などの症状を解消したり緩和させることができる、マッサージ機能を使用できる機能性あんま椅子が必要とされている。
【先行技術文献】
【特許文献】
【０００９】
【特許文献１】韓国登録特許公報第１０−１５６５２５７号「マッサージ用背もたれ」（出願日付２０１４．０９．１１）
【特許文献２】韓国登録特許公報第１０−１３８４１９９号「指圧ボールを備えた機能性椅子」（出願日付２０１３．０３．０７）
【特許文献３】韓国登録特許公報第１０−１５８６６０７号「指圧ボールを備えた機能性椅子」（出願日付２０１５．０３．３１）
【発明の概要】
【発明が解決しようとする課題】
【００１０】
本発明は、前記のような問題点を解決するために、単純に着席の機能だけを持っている事務用椅子や学習用椅子などの機能的な限界を改善させるものであって、ひじ掛けの操作で椅子の背もたれに備えられた指圧ボールが突出して着席者の背中部位をマッサージできる、指圧ボールを備えた機能性椅子を提供することを目的とする。
【００１１】
また、本発明の他の目的は使用者の選択により、使用者の背筋と脊椎起立筋に刺激を与えてマッサージを行い、または一般的な椅子として使えるように製作された指圧ボールを備えた機能性椅子を提供することである。
【課題を解決するための手段】
【００１２】
本発明の指圧ボールを備えた機能性椅子は、所定の厚さを有する座板１００と、前記座板１００を支持するように前記座板１００の下段に備えられ、一側に前記座板１００を移動させるための回転輪２１０が装着される座板支持部２００と、前記座板１００の一側に結合され上下方向で立てられて、一定間隔離隔配置される指圧ホール３１０が貫通形成される背もたれ３００と、前記背もたれ３００の後方に装着されて、中央に開口面Ｓが貫通形成され、前記開口面Ｓの縁に沿って内部隔壁４１０が延在形成される背もたれ支持台４００と、前記背もたれ支持台４００に回転可能に装着され、回転することで前記指圧ホール３１０に引き出し、または引入される指圧ボール５１０が多数個形成される一対の指圧部５００と、前記指圧部５００の一側にそれぞれ固定され、前記指圧ボール５１０が前記指圧ホール３１０に引き出されるように前記指圧部５００を回転させる一対のひじ掛け６００と、一側が前記座板１００に固定され、他側が前記背もたれ支持台４００に固定されて前記背もたれと前記座板１００を固定する座板連結具７００と、前記背もたれ支持台４００、または前記指圧部５００に装着されて前記指圧部５００の回転を制御するストッパー９００と、を含むことを特徴とする。
【００１３】
本発明において、前記指圧部５００は上下方向に立てられる指圧板５２０と、前記指圧板５２０の一側に突出形成され、前記指圧ボール５１０が回転可能に装着されるローラーブラケット５３０と、前記指圧板５２０の上側と下側に上下方向にそれぞれ延在形成される第１の回転軸５４０及び第２の回転軸５５０と、を含み、前記第２の回転軸５５０には水平方向に延在形成されて終端に締結ホール５６１がそれぞれ形成される一対の支持ロード５６０が形成され、前記一対の支持ロード５６０の間には前記ひじ掛け６００を加圧する加圧力が解除されれば、前記引き出された指圧ボール５１０を指圧ホール３１０に引入させるように前記一対の指圧部５００を弾性支持する弾性部材８００がさらに備えることを特徴とする。
【００１４】
本発明において、前記ストッパー９００は所定の厚さを有して、側面に固定溝９０１が嵌入形成され、前記ストッパー９００が装着される場合、前記ローラーブラケット５３０に固定溝９０１が挿入されて前記ストッパー９００が固定され、前記指圧板５２０が前記ストッパー９００の側面と接触して前記指圧部５００の回転が制限されることを特徴とする。
【００１５】
本発明において、前記ストッパー９００は前記背もたれ支持台４００の内側面に形成されて、上下方向に沿って延在形成されるレール溝９１１を含むストッパーハウジング９１０と、前記内部隔壁４１０を貫通して形成されるストッパー引入溝４１３に挟まれて上下方向にスライディングされ、上下移動によって前記指圧板５２０の回転を制御するように前記指圧板５２０と接触、または接触解除されるストッパーボディ９２０と、前記ストッパーボディ９２０の上下移動を制御するように前記レール溝９１１に装着されて前記背もたれ支持台４００の外部に露出されるストッパーハンドル９３０と、を含むことを特徴とする。
【００１６】
本発明において、前記ストッパーハンドル９３０は前記ストッパーハウジング９１０の外側面に密着され、前記背もたれ支持台４００の外部に露出されたハンドル９３１−１を含む第１の支持板９３１と、前記ストッパーハウジング９１０の内側面に密着される第２の支持板９３２と、前記レール溝９１１を貫通して一側と他側が前記第１の支持板９３１と第２の支持板９３２にそれぞれ連結されるガイド棒９３３と、を含み、前記レール溝９１１は前記ガイド棒９３３がスライディングするように延在されるスライディング溝９１１−１と、前記スライディング溝９１１−１の一側に形成されて前記ガイド棒９３３が定着される固定レール溝９１１−２と、を含み、前記スライディング溝９１１−１と前記固定レール溝９１１−２の間には前記ガイド棒９３３が固定レール溝９１１−２に定着した状態を維持させるために前記ガイド棒９３３を支持する係止突起９１１−３が突出形成されることを特徴とする。
【発明の効果】
【００１７】
本発明は、平常時には学習用椅子や事務用椅子などとして使用し、使用者が両側に備えられたひじ掛けを回転操作すると背もたれに装着された多数の指圧ボールが使用者の背筋や脊椎周辺筋肉などを加圧して血液循環を誘導し、また着席者の座り姿勢の校正効果を提供することができる利点がある。
【図面の簡単な説明】
【００１８】
【図１】本発明の全体的な姿を示した斜視図である。
【図２】本発明の背もたれ及び背もたれ支持台、指圧部の主要構成を示した分解斜視図である。
【図３】本発明のストッパーの一実施例を示した斜視図である。
【図４】本発明の指圧部の作動状態とストッパーの作動状態の一実施例を示した断面図及び平面図である。
【図５】本発明の指圧部の作動状態とストッパーの作動状態の一実施例を示した断面図及び平面図である。
【図６】本発明のストッパー構成中ストッパーハウジングの主要構成を示した部分斜視図である。
【図７】本発明のストッパーの主要構成を示した部分斜視図である。
【発明を実施するための形態】
【００１９】
以下、図面を参照して本発明の指圧ボールを備えた機能性椅子の一実施例について詳細に説明する。
【００２０】
図１は本発明の全体的な姿を示した斜視図、図２は本発明の背もたれ及び背もたれ支持台、そして指圧部の主要構成を示した分解斜視図、図３は本発明のストッパーの一実施例を示した斜視図、図４は本発明の指圧部の作動状態とストッパーの作動状態の一実施例を示した断面図及び平面図、図５は本発明の指圧部の作動状態とストッパーの作動状態の一実施例を示した断面図及び平面図、図６は本発明のストッパー構成中ストッパーハウジングの主要構成を示した部分斜視図、図７は本発明のストッパーの主要構成を示した部分斜視図に関するものである。
【００２１】
図１を参照する。本発明の指圧ボールを備えた機能性椅子は一般椅子と同じ構造である座板１００、一対のひじ掛け６００及び背もたれ３００、前記座板１００を底面から離隔させて、座板１００を手軽に移動させるための回転輪２１０が装着された座板支持部２００と、を備える。
【００２２】
この時、座板１００は所定の厚さを有し、緩衝効果を持つ材質（スポンジ、発泡ウレタンなど）で製作することができる。そして、座板支持部２００は座板１００の下段に備えられて座板１００を支持する。
【００２３】
図１及び図２を参照する。背もたれ３００は座板１００の一側に結合され、上下方向に立てられ、一定角度で傾斜を維持して立てられて使用者が座板１００に座る場合、快適さと安らかさを提供することができる。この時、背もたれ３００には指圧ホール３１０が貫通形成され、前記の指圧ホール３１０は多数個で形成されて上下方向に一定間隔離隔配置される。
【００２４】
一方、背もたれ３００の後方には背もたれ３００を支持する背もたれ支持台４００が装着される。背もたれ支持台４００は背もたれ３００が使用者の重さによって変形されることを防止できるように背もたれ３００の縁を支持する。
【００２５】
すなわち、背もたれ支持台４００の中央には背もたれ支持台４００を貫通する開口面Ｓが形成され、開口面Ｓの縁に沿って背もたれ支持台４００の歪みを捉える内部隔壁４１０が形成される。
【００２６】
ここで図１乃至図４を参照する。背もたれ支持台４００に回転可能に装着されて座板１００に座っている使用者の背中部位を指圧させる一対の指圧部５００を備える。指圧部５００には指圧ボール５１０が一定間隔離隔して多数個形成されるが、この時、指圧部５００が回転して指圧ボール５１０が指圧ホール３１０に引き出し、または引入されて使用者の背中部位を加圧、または加圧解除することができる。
【００２７】
指圧部５００の回転は前記の一対のひじ掛け６００を通じて制御することができる。すなわち、ひじ掛け６００は指圧部５００の一側にそれぞれ固定され、指圧ボール５１０が指圧ホール３１０に引き出されるように使用者がひじ掛け６００を左右方向に押して指圧部５００を回転させれば指圧ボール５１０が指圧ホール３１０に引き出されることができる。
【００２８】
更に図２を参照する。座板１００と背もたれ支持台４００との間には座板１００と背もたれ３００及び背もたれ支持台４００を相互間固定させる座板連結具７００がさらに備えられる。座板連結具７００により座板１００及び背もたれ３００、背もたれ支持台４００の耐久性を向上させることができる。
【００２９】
図３を参照する。背もたれ支持台４００と指圧部５００に装着されて指圧部５００の回転を制御するストッパー９００がさらに備えられる。ストッパー９００は背もたれ支持台４００と指圧部５００との間に挿入されて指圧部５００の回転を阻止する。すなわち、使用者がストッパー９００を把持した後背もたれ支持台４００と指圧部５００の間の離隔された空間にストッパー９００を挿入することができる。
一方、使用者がひじ掛け６００を用いて指圧をしようとする場合、指圧部５００が回転するようにストッパー９００を背もたれ支持台４００と指圧部５００の間から引き出して指圧を行うことができる。
【００３０】
図２を参照する。指圧部５００は指圧板５２０、ローラーブラケット５３０、第１の回転軸５４０及び第２の回転軸５５０とを含む。指圧板５２０は所定の厚さを有して上下方向に立てられ、好ましくは背もたれ支持台４００の開口面Ｓ内に位置する。
【００３１】
ローラーブラケット５３０は指圧板５２０の一側面、すなわち、背もたれ３００と向かい合う指圧板５２０の一側面に形成され、ローラーブラケット５３０の終端には指圧ボール５１０が回転可能に装着される。ローラーブラケット５３０は指圧板５２０と一体に回転することができる。
【００３２】
第１及び第２の回転軸５４０、５５０は指圧板５２０の上側と下側にそれぞれ位置し、上下方向に延在されて指圧板５２０と一体を成しえる。これによって、指圧板５２０は第１及び第２の回転軸５４０、５５０を中心に回転することができる。
【００３３】
図２及び図４と図５を参照する。第２の回転軸５５０には第２の回転軸５５０の延在方向と交差する方向（水平方向）に延在形成される支持ロード５６０が備えられる。支持ロード５６０は一対を成すようにそれぞれの第２の回転軸５５０に形成される。支持ロード５６０の終端には支持ロード５６０を貫通する締結ホール５６１が形成される。
【００３４】
この時、一対の支持ロード５６０の間には弾性部材８００が備えられ、弾性部材８００の一側と他側がそれぞれの支持ロード５６０の締結ホール５６１に固定されて一対の指圧板５２０を弾性支持する。すなわち、使用者がひじ掛け６００を加圧して指圧板５２０を回転させた後、引き出された指圧ボール５１０を指圧ホール３１０に引入させるためにひじ掛け６００を加圧する加圧力を解除すれば、弾性部材８００の弾性力によって指圧板５２０とひじ掛け６００は元の位置に移動することができる。
【００３５】
一方、弾性部材８００は第２の回転軸５５０と第２の支持ホルダー７３０、または第１の回転軸５４０及び第１の支持ホルダー４２０の間に備えられるコイルスプリング形態で製作することができる。弾性部材８００がコイルスプリング形態で製作されて組み立て及びメンテナンスが簡便になり、複数個のひじ掛け６００をそれぞれ独立的に制御できる利点を提供することができる。
【００３６】
図３を参照する。ストッパー９００は背もたれ支持台４００と指圧部５００との間に挿入されるように所定の厚さを有して形成され、一側面に複数個の固定溝９０１が一定間隔離隔して嵌入形成される。
【００３７】
すなわち、ストッパー９００が背もたれ支持台４００と指圧部５００との間に挿入するように装着される場合、固定溝９０１がローラーブラケット５３０に挿入してストッパー９００が固定される。この時、固定溝９０１の形状はローラーブラケット５３０の形状に応じて加工する方が好ましい。
【００３８】
このように、ストッパー９００が装着されて指圧板５２０がストッパー９００の側面と接触して指圧部５００の回転を制限することができる。
【００３９】
図２を参照する。背もたれ支持台４００の内側面、すなわち、背もたれ３００と向かい合う背もたれ支持台４００の一面には第１の回転軸５４０が支持される第１の支持ホルダー４２０が形成される。好ましくは第１の支持ホルダー４２０は背もたれ支持台４００の上側に形成し、指圧板５２０が開口面Ｓ内で円滑に回転することができるように第１の回転軸５４０の終端の側面を支持する構造で形成することができる。
【００４０】
背もたれ支持台４００の下側には座板連結具７００が固定される座板連結具結合突起４３０が突出形成され、別途の固定ピースにより相互固定される。
【００４１】
この時、内部隔壁４１０には第１の回転軸５４０が貫通する上部挟み込み溝４１１と第２の回転軸５５０が貫通する下部挟み込み溝４１２がさらに形成される。
上部挟み込み溝４１１と下部挟み込み溝４１２は相互向かい合うように位置する。上部挟み込み溝４１１及び下部挟み込み溝４１２の縁が第１及び第２の回転軸５４０、５５０の側面と密着するように接触して第１及び第２の回転軸５４０、５５０を支持する。これによって、指圧板５２０の回転時第１及び第２の回転軸５４０、５５０の遊び発生を最小化して指圧板５２０の円滑な回転を図ることができる。
【００４２】
図２を参照する。座板連結具７００は座板連結ロード７１０及び指圧部固定プレート７２０を含む。座板連結ロード７１０の一側は座板１００の一側と結合され、所定の厚さを有する板状を成して他側が折り曲げられた形状を有する。この時、折り曲げられた座板連結ロード７１０の他側端に指圧部固定プレート７２０が形成される。指圧部固定プレート７２０は所定の厚さを有する板状を成して、座板連結具結合突起４３０と結合される。
【００４３】
この時、指圧部固定プレート７２０の上段には一対の第２の回転軸５５０が挿入される第２の支持ホルダー７３０が備えられ、第２の回転軸５５０が第２の支持ホルダー７３０で回転できる構造で挿入される。よって、指圧板５２０が第１及び第２の回転軸５４０、５５０を中心に回転できる。
【００４４】
図２乃至図７を参照する。背もたれ支持台４００に装着されて指圧部５００の回転を制御するストッパー９００がさらに備えられる。すなわち、ストッパー９００の操作で使用者が指圧の実行の有無を選択することができる。
【００４５】
ストッパー９００は、ストッパーハウジング９１０、ストッパーボディ９２０及びストッパーハンドル９３０を含む。ストッパーハウジング９１０は背もたれ支持台４００の内側面のうち下側に形成される方が好ましく、中央に上下方向に延在されるレール溝９１１が形成される。
【００４６】
ストッパーボディ９２０は、内部隔壁４１０にストッパー引入溝４１３が貫通形成される場合、ストッパー引入溝４１３に挟まれて上下方向にスライディングされる。
ストッパーボディ９２０の上下移動によってストッパーボディ９２０に指圧板５２０が接触して指圧板５２０の回転を制御する。すなわち、ストッパーボディ９２０が上昇して指圧板５２０と接触すれば指圧板５２０の回転が阻止され、ストッパーボディ９２０が下降して指圧板５２０との接触が解除されれば指圧板５２０は自由に回転することができる。
【００４７】
一方、指圧板５２０の一側にはストッパーボディ９２０と接触するストップ突起５２１が突出形成される。ストップ突起５２１にストッパーボディ９２０が支持されて指圧板５２０の回転を制御することができる。
【００４８】
ストッパーハンドル９３０は、ストッパーボディ９２０の一側に備えられて使用者がストッパーハンドル９３０を把持してストッパーボディ９２０の上下移動を操作する。この時、ストッパーハンドル９３０はレール溝９１１に装着されてレール溝９１１の延在方向に沿って案内されて移動することができる。ストッパーハンドル９３０は背もたれ支持台４００の外部に露出されて使用者が容易に把持することができる。
【００４９】
図７を参照する。ストッパーハンドル９３０は第１の支持板９３１、第２の支持板９３２及びガイド棒９３３を含む。第１の支持板９３１はストッパーハウジング９１０の外側面に密着され、一側に背もたれ支持台４００の外部に露出して使用者が把持するハンドル９３１−１がさらに形成される。
【００５０】
第２の支持板９３２は、ストッパーボディ９２０の側面から突出形成されてストッパーハウジング９１０の内側面と密着する。この時、第１の支持板９３１は第２の支持板９３２と一定間隔離隔するが、離隔する間隔はストッパーハウジング９１０の厚さと同一の間隔である。
【００５１】
ガイド棒９３３は、レール溝９１１を貫通する所定の直径を有する棒状であり、第１の支持板９３１と第２の支持板９３２との間に備えられる。この時、レール溝９１１の一側と他側が第１の支持板９３１と第２の支持板９３２にそれぞれ連結されることで第１の支持板９３１と第２の支持板９３２はストッパーハウジング９１０の外側面と内側面に密着することができる。
【００５２】
図６及び図７を参照する。レール溝９１１はスライディング溝９１１−１と固定レール溝９１１−２で区切られることができる。スライディング溝９１１−１はガイド棒９３３と共にストッパーボディ９２０を上下移動させるように上下方向に延在形成される。
固定レール溝９１１−２はスライディング溝９１１−１の上側に位置する方が好ましく、ストッパーボディ９２０が指圧板５２０を支持した状態を維持させるためにガイド棒９３３が密着して定着される。
【００５３】
この時、スライディング溝９１１−１と固定レール溝９１１−２との間には係止突起９１１−３が突出形成される。係止突起９１１−３はガイド棒９３３を固定レール溝９１１−２に定着した状態を維持させるため、すなわち、係止突起９１１−３は固定レール溝９１１−２に定着したガイド棒９３３が自らの重量により下方向に移動する現象を防止するようにガイド棒９３３を支持する。
よって、使用者がハンドル９３１−１を把持して一定トルク以上の力を加えて操作すれば、ガイド棒９３３と共にストッパーボディ９２０を上下方向に移動することができる。
【００５４】
以上の構成による本発明の指圧ボールを備えた機能性椅子は、日常では学習用椅子や事務用椅子などとして使用し、背筋や脊椎周辺筋肉などを加圧して血液循環を誘導しようとする時には、ひじ掛けを操作して着座した使用者の姿勢矯正や疲れを取ることができるという長所がある。
【符号の説明】
【００５５】
１００  座板
２００  座板支持部
３００  背もたれ
４００  背もたれ支持台
５００  指圧部
５１０  指圧ボール
５２０  指圧板
５３０  ローラーブラケット
５４０  第１の回転軸
５５０  第２の回転軸
５６０  支持ロード
６００  ひじ掛け
７００  座板連結具
８００  弾性部材
９００  ストッパー
９１０  ストッパーハウジング
９２０  ストッパーボディ
９３０  ストッパーハンドル
【図１】
2020065899.tif 000003
【図２】
2020065899.tif 000004
【図３】
2020065899.tif 000005
【図４】
2020065899.tif 000006
【図５】
2020065899.tif 000007
【図６】
2020065899.tif 000008
【図７】
2020065899.tif 000009